(57)【特許請求の範囲】
【請求項１】
スクリーン本体の上流側のろ過面に、上流側に向かって突出する突き出し通水管を並べ設けて、隣接する突き出し通水管に高低差を付けていることを特徴とする除塵用立体スクリーン。
【請求項２】
前記突き出し通水管の高低数は、２段であることを特徴とする請求項１に記載の除塵用立体スクリーン。
【請求項３】
前記突き出し通水管の高低差は、約５ｍｍ〜１０ｍｍであることを特徴とする請求項１または２に記載の除塵用立体スクリーン。
【請求項４】
前記高い突き出し通水管と低い突き出し通水管の全体通水面積比は、約１：３であることを特徴とする請求項１〜３のいずれか一項に記載の除塵用立体スクリーン。
【請求項５】
前記突き出し通水管は、内外径が同径であり、縦横に隙間無く並べ設けていることを特徴とする請求項１〜４のいずれか一項に記載の除塵用立体スクリーン。
【請求項６】
スクリーン本体のろ過面に通水穴を並べ形成するとともに、隣り合う通水穴の間のろ過面に、上流側に向かって突出する突き出し通水管を並べ設けて、ろ過面の通水穴と突き出し通水管に高低差を付けていることを特徴とする除塵用立体スクリーン。
【請求項７】
前記立体スクリーンは、水路に設置する除塵装置に取付けられるものであることを特徴とする請求項１〜６のいずれか一項に記載の除塵用立体スクリーン。
【発明の詳細な説明】
【技術分野】
【０００１】
本発明は、長時間に亙って通水性を確保した状態でし査捕獲量が増大する除塵用立体スクリーンに関する。
【背景技術】
【０００２】
従来、除塵用スクリーンを備えた除塵装置として、無端状の除塵用スクリーンを水路内に回動可能に設置するとともに、この除塵用スクリーンを流水が通過するように通水穴を形成し、水路を流下するし査を除塵用スクリーンにより捕獲する一方で、捕獲したし査を水面上に引き上げて水路外に除去するようにしたものがある（特許文献１参照）。
【０００３】
ここで「し査」とは、下水のような流水中のゴミ、木片等の浮遊性のきょう雑物（下水に含まれる固形物、管渠内の堆積物の原因となる物質、具体的には、紙類、人糞、厨芥類、草木類、毛髪類、ビニール・プラスチック類、金属・ガラス類等）である。なお、「しさ」若しくは「屎査」と記述されることがある。
【０００４】
前記のような除塵用スクリーンとしては、流水の通水性、およびし査の捕獲性が良好なことから、金網状スクリーンが主流であったが、毛髪のような繊維状のし査が絡み付き易く、その除去が困難になる。そこで、毛髪のような繊維状のし査の絡み付きを生じ難くするために、流水の通水方向にある程度厚みのある多孔性平面スクリーンを用いるようになっている。
【特許文献１】実用新案登録第３０９８５１９号公報
【発明の開示】
【発明が解決しようとする課題】
【０００５】
しかしながら、図５に示すように、前記のような多孔性平面スクリーン７では、上流側のろ過面は平面構造であることから（平面スクリーン）、捕獲されたし査ｐが流水ｒの水圧により厚密し、平面構造のろ過面にべったりと張り付いて、通水穴７ａが短時間で塞がれ易いので、通水性が阻害されてし査捕獲量が減少するという問題があった。
【０００６】
本発明は、前記問題を解消するためになされたもので、長時間に亙って通水性を確保した状態でし査捕獲量が増大するようにした除塵用立体スクリーンを提供することを目的とするものである。
【課題を解決するための手段】
【０００７】
前記課題を解決するために、本発明の第１の手段は、スクリーン本体の上流側のろ過面に、上流側に向かって突出する突き出し通水管を並べ設けて、隣接する突き出し通水管に高低差を付けていることを特徴とする除塵用立体スクリーンを提供するものである。
【０００８】
請求項２のように、前記突き出し通水管の高低数は、２段である構成とすることができる。
【０００９】
請求項３のように、前記突き出し通水管の高低差は、約５ｍｍ〜１０ｍｍである構成とすることができる。
【００１０】
請求項４のように、前記高い突き出し通水管と低い突き出し通水管の全体通水面積比は、約１：３である構成とすることができる。
【００１１】
請求項５のように、前記突き出し通水管は、内外径が同径であり、縦横に隙間無く並べ設けている構成とすることができる。
【００１２】
本発明の第２の手段は、スクリーン本体のろ過面に通水穴を並べ形成するとともに、隣り合う通水穴の間のろ過面に、上流側に向かって突出する突き出し通水管を並べ設けて、ろ過面の通水穴と突き出し通水管に高低差を付けていることを特徴とする除塵用立体スクリーンを提供するものである。
【００１３】
請求項７のように、前記立体スクリーンは、水路に設置する除塵装置に取付けられる構成とすることができる。
【発明の効果】
【００１４】
本発明の第１の手段によれば、スクリーン本体の上流側のろ過面に突き出し通水管を並べ設けて、この突き出し通水管に高低差を付けているから、高い突き出し通水管に跨ってし査が付着した際にはし査がブリッジ現象を起こして、後続するし査がそこに積層するようになるとともに、流水は、ブリッジ現象を起こしたし査の側方隙間から低い突き出し通水管に流れ込むようになる。また、低い突き出し通水管にし査が付着した際には、高い突き出し通水管の外周面でし査の周縁部がブリッジ現象を起こして捲れ上がり、後続するし査がそこに積層するようになるとともに、流水は、ブリッジ現象を起こしたし査の周縁部の捲れ上がり隙間から低い突き出し通水管に流れ込むようになる。
【００１５】
このように、スクリーン本体の上流側のろ過面を立体構造とすることで（立体スクリーン）、捕獲されたし査は、ろ過面の突き出し通水管の凹凸によりブリッジ現象を起こし、その隙間を通って、し査で塞がれていない突き出し通水管に流れ込むようになるから、し査が突き出し通水管を塞ぐのに時間的な差（タイムラグ）が生じて、突き出し通水管が短時間で塞がれ難いので、長時間に亙って通水性を確保した状態でし査捕獲量が増大するようになる。
【００１６】
また、流入するし査量が同じのとき、従来の平面スクリーンと比べて本発明の立体スクリーンは、通水流量が大きくなるために、スクリーンの面積を平面スクリーンに比べて小さくできるので、立体スクリーンを取付ける除塵装置等をコンパクトにでき、設備費用が削減できるようになる。
【００１７】
請求項２によれば、少ない段数でし査捕獲量が増大するから、設備費用が安くなる。
【００１８】
請求項３によれば、少ない高低差でし査捕獲量が増大するから、設備費用が安くなる。
【００１９】
請求項４によれば、高い突き出し通水管の本数が少ないから、設備費用が安くなる。
【００２０】
請求項５によれば、突き出し通水管は内外径が同径であるから、設備費用が安くなるとともに、縦横に隙間無く並べ設けているから、し査捕獲量が増大するようになる。
【００２１】
本発明の第２の手段によれば、スクリーン本体の上流側のろ過面に突き出し通水管を並べ設けて、ろ過面の通水穴と突き出し通水管に高低差を付けているから、突き出し通水管に跨ってし査が付着した際にはし査がブリッジ現象を起こして、後続するし査がそこに積層するようになるとともに、流水は、ブリッジ現象を起こしたし査の側方隙間から低い突き出し通水管に流れ込むようになる。
【００２２】
このように、スクリーン本体の上流側のろ過面を立体構造とすることで（立体スクリーン）、捕獲されたし査は、ろ過面と突き出し通水管の凹凸によりブリッジ現象を起こし、その隙間を通って、し査で塞がれていない突き出し通水管に流れ込むようになるから、し査がろ過面の通水穴と突き出し通水管を塞ぐのに時間的な差（タイムラグ）が生じて、ろ過面の通水穴と突き出し通水管が短時間で塞がれ難いので、長時間に亙って通水性を確保した状態でし査捕獲量が増大するようになる。
【００２３】
また、流入するし査量が同じのとき、従来の平面スクリーンと比べて本発明の立体スクリーンは、通水流量が大きくなるために、スクリーンの面積を平面スクリーンに比べて小さくできるので、立体スクリーンを取付ける除塵装置等をコンパクトにでき、設備費用が削減できるようになる。
【００２４】
請求項７によれば、除塵装置によって、水路の流水のし査を効率的に捕獲できるようになる。
【発明を実施するための最良の形態】
【００２５】
以下、本発明を実施するための最良の形態について、図面を参照しながら詳細に説明する。
【００２６】
図１（ａ）は除塵用立体スクリーン１の正面図、図１（ｂ）は（ａ）の断面図であり、図１（ｂ）の左半分は高低差Ｈ１が５ｍｍのタイプのもの、右半分は高低差Ｈ２が１０ｍｍのタイプのものをそれぞれ図示している。
【００２７】
平板状のスクリーン本体２は、本実施形態では正面視で円形状に形成しているが、四角形状等の多角形状であっても良い。
【００２８】
スクリーン本体２の上流側のろ過面には、上流側に向かって突出する突き出し通水管３Ａ，３Ｂを縦横に一定の間隔で、突き出し通水管３Ａと突き出し通水管３Ｂとがほぼ交互となるように、隙間無く並べ設けている。本実施形態では、各突き出し通水管３Ａ，３Ｂの全体の外輪郭が六角形状となるように並べ設けている。スクリーン本体２と各突き出し通水管３Ａ，３Ｂとは、合成樹脂（例えばポリプロピレン）で一体成形している。各突き出し通水管３Ａ，３Ｂには、スクリーン本体２を貫通する通水穴３ａがそれぞれ形成されている。なお、通水穴３ａは円形である必要は無く、多角形（正方形、長方形、正六角形等）であっても良い。各突き出し通水管３Ａ，３Ｂを金属製として、下流側端部をスクリーン本体２に溶接等で固定するようにしても良い。
【００２９】
突き出し通水管３Ａ，３Ｂの内、突き出し通水管３Ａは高く（長く）するとともに、突き出し通水管３Ｂは低く（短く）して、隣接する突き出し通水管３Ａ，３Ｂに高低差Ｈ１、またはＨ２を付けている。
【００３０】
後述する性能データを得るために作成した実験用の除塵用立体スクリーン１のスクリーン本体２の外径を例えば約９０ｍｍとした場合、各突き出し通水管３Ａ，３Ｂは、内外径が同径、例えば、内径が５ｍｍ、外径が７ｍｍのアルミニューム管であって、スクリーン本体２の上流側のろ過面からの高さは、高低差Ｈ１が５ｍｍのタイプのものでは、突き出し通水管３Ａが１５ｍｍ、突き出し通水管３Ｂが１０ｍｍであり、高低差Ｈ２が１０ｍｍのタイプのものでは、突き出し通水管３Ａが２０ｍｍ、突き出し通水管３Ｂが１０ｍｍであって、高低数は２段である。なお、突き出し通水管３Ａ，３Ｂの内外径、材質、高低差Ｈ１，Ｈ２等（以下の各数値等も同様。）はあくまでも例示であって、これらに限られるものではない。また、各突き出し通水管３Ａ，３Ｂの内外径が全て同径である必要もない。
【００３１】
図１（ａ）では、各突き出し通水管３Ａ，３Ｂの配置を明確にするために、高い突き出し通水管３Ａの上端部を黒色で塗り潰し、低い突き出し通水管３Ｂの上端部を白抜きとしている。
【００３２】
そして、図１（ａ）においては、以下のような突き出し通水管３Ａ，３Ｂの配列としている。
【００３３】
ａ列：低い突き出し通水管３Ｂが６本
ｂ列：低い突き出し通水管３Ｂが５本、高い突き出し通水管３Ａが４本、小計９本
ｃ列：低い突き出し通水管３Ｂが１０本
ｄ列：低い突き出し通水管３Ｂが６本、高い突き出し通水管３Ａが５本、小計１１本
ｅ列：低い突き出し通水管３Ｂが１２本
ｆ列：低い突き出し通水管３Ｂが７本、高い突き出し通水管３Ａが６本、小計１３本
ｇ列：低い突き出し通水管３Ｂが１２本
ｈ列：低い突き出し通水管３Ｂが６本、高い突き出し通水管３Ａが７本、小計１３本
ｉ列：低い突き出し通水管３Ｂが１２本
ｊ列：低い突き出し通水管３Ｂが５本、高い突き出し通水管３Ａが６本、小計１１本
ｋ列：低い突き出し通水管３Ｂが１０本
ｌ列：低い突き出し通水管３Ｂが４本、高い突き出し通水管３Ａが５本、小計９本
ｍ列：低い突き出し通水管３Ｂが６本
ｎ列：低い突き出し通水管３Ｂが１本、高い突き出し通水管３Ａが３本、小計３本
この配列であれば、突き出し通水管３Ａ，３Ｂが合計１３７本であり、その内、高い突き出し通水管３Ａが３５本、低い突き出し通水管３Ｂが１０２本であって、高い突き出し通水管３Ａと低い突き出し通水管３Ｂの全体通水面積比は、約１：３である。
【００３４】
前記のような除塵用立体スクリーン１であれば、スクリーン本体２の上流側のろ過面に突き出し通水管３Ａ，３Ｂを並べ設けて、この突き出し通水管３Ａ，３Ｂに高低差Ｈ１またはＨ２を付けているから、図２（ａ）のように、高い突き出し通水管３Ａに跨ってし査ｐ１が付着した際には、し査ｐ１がブリッジ現象を起こして、後続するし査がそこに積層するようになるとともに、流水ｒは、ブリッジ現象を起こしたし査ｐ１の側方隙間ｓから低い突き出し通水管３Ｂに流れ込むようになる。
【００３５】
また、図２（ｂ）のように、低い突き出し通水管３Ｂにし査ｐ２が付着した際には、高い突き出し通水管３Ａの外周面でし査ｐ２の周縁部がブリッジ現象を起こして捲れ上がり、後続するし査がそこに積層するようになるとともに、流水ｒは、ブリッジ現象を起こしたし査ｐ２の周縁部の捲れ上がり隙間ｓから低い突き出し通水管３Ｂに流れ込むようになる。さらに、高い突き出し通水管３Ａと低い突き出し通水管３Ｂとに跨ってし査ｐ３が付着した際には、し査ｐ３がブリッジ現象を起こして、後続するし査がそこに積層するようになるとともに、流水ｒは、ブリッジ現象を起こしたし査ｐ３の側方隙間ｓから低い突き出し通水管３Ｂに流れ込むようになる。
【００３６】
実験で確認したところでは、比較的粗いし査は、高い突き出し通水管３Ａに跨ってブリッジ現象を起こし、比較的細かいし査は、低い突き出し通水管３Ｂから徐々に閉塞し始め、ついでブリッジ上部を閉塞し、最後に高い突き出し通水管３Ａを閉塞するようになる。なお、前述のように、低い突き出し通水管３Ｂでもブリッジ現象を起こしてし査が捲れ上がるので、捲れ上がり隙間ｓは生じることになる。
【００３７】
このように、スクリーン本体２の上流側のろ過面を立体構造とすることで（立体スクリーン）、捕獲されたし査ｐ１〜ｐ３は、ろ過面の突き出し通水管３Ａ，３Ｂの凹凸によりブリッジ現象を起こし、その隙間ｓを通って、し査ｐ１〜ｐ３で塞がれていない突き出し通水管３Ｂに流れ込むようになるから、し査ｐ１〜ｐ３が突き出し通水管３Ａ，３Ｂを塞ぐのに時間的な差（タイムラグ）が生じて、突き出し通水管３Ａ，３Ｂが短時間で塞がれ難いので、長時間に亙って通水性を確保した状態でし査捕獲量が増大するようになる。
【００３８】
また、流入するし査量が同じのとき、従来の多孔性平面スクリーン７と比べて本実施形態の立体スクリーン１は、通水流量が大きくなるために、スクリーン１の面積を多孔性平面スクリーン７に比べて小さくできるので、立体スクリーン１を取付ける除塵装置（後述）等をコンパクトにでき、建設費用が削減できるようになる。例えば、多孔性平面スクリーン７では、３．５ｍ×０．５ｍ角の面積を必要とするところが、立体スクリーン１では、２．５ｍ×０．５ｍ角の面積で同量のし査処理が可能である。
【００３９】
図３は、図５の多孔性平面スクリーン７（線Ａで示す。）、高低差Ｈ１が５ｍｍの本実施形態の立体スクリーン１（線Ｂで示す。）、高低差Ｈ２が１０ｍｍの本実施形態の立体スクリーン１（線Ｃで示す。）を用いて実験した性能データのグラフであり、横軸にし査の付着厚（ｍｍ）、縦軸に排水時間（ｓｅｃ）を設定している。
【００４０】
このグラフから、し査の付着厚が同じ時には、Ａ，Ｂ、Ｃの順に排水時間がかかる、つまり、Ａは通水性が阻害され易く、Ｂ，Ｃは通水性が阻害され難いことが分かる。同時に、し査の付着厚が厚くなるほど、Ａ，Ｂ、Ｃの排水時間の差が少なくなることも分かる。なお、Ｂは、付着厚０〜７．２ｍｍまでと７．２ｍｍ〜２１．６１ｍｍまでの付着厚−排水時間の関係が異なるため、付着厚７．２ｍｍ付近で分岐点が発生し、付着厚７．２ｍｍまでは二次曲線的な傾向を示し、付着厚７．２ｍｍ以降は比例的な傾向を示すことが分かる。
【００４１】
また、し査の付着厚＝し査の捕獲能力であるから、ＡとＣとを対比すれば、その排水時間比がそのままし査の捕獲能力となる。すなわち、例えば、し査の付着厚５ｍｍ付近では、Ａと比べてＣは、３．１倍、し査の付着厚１０ｍｍ付近では、Ａと比べてＣは、２．４倍であることが分かる。
【００４２】
前記実施形態の立体スクリーン１の突き出し通水管３Ａ，３Ｂの高低数は２段であって、少ない段数でし査捕獲量が増大するから、設備費用が安くなるが、図４（ａ）に示すように、さらに高い突き出し通水管３Ｃを設ければ、高低数を３段とすることができる。その他、４段以上でも可能である。
【００４３】
また、各突き出し通水管３Ａ，３Ｂの高低差Ｈ１，Ｈ２は、約５ｍｍ〜１０ｍｍであるから、少ない高低差でし査捕獲量が増大するから、設備費用が安くなる。
【００４４】
さらに、高い突き出し通水管３Ａと低い突き出し通水管３Ｂの全体通水面積比は、約１：３であるから、高い突き出し通水管３Ａの本数が少ないから、設備費用が安くなる。
【００４５】
また、各突き出し通水管３Ａ，３Ｂは内外径が同径であるから、設備費用が安くなるとともに、縦横に隙間無く並べ設けているから、し査捕獲量が増大するようになる。
【００４６】
さらに、図４（ｂ）に示すように、スクリーン本体２のろ過面に通水穴２ａを並べ形成するとともに、隣り合う通水穴２ａの間のろ過面に、上流側に向かって突出する低い突き出し通水管３Ｂを並べ設ければ、図１の立体スクリーン１と同様の効果が得られるとともに、通水穴２ａと突き出し通水管３Ｂの高低数は２段となって、高い突き出し通水管３Ａを省略することが可能になる。
【００４７】
前記立体スクリーン１は、図６〜図８に示すように、例えば水路に設置する除塵装置（ネオ・スクリーン）に取付けることができる。
【００４８】
図６は、除塵装置１０の全体構成を分かり易くするために、装置を部分的に破断して図示し、またその一部を省略した状態で図示している。除塵装置１０は、水路１１を流れるし査を捕獲するための立体スクリーン１と、この立体スクリーン１を駆動する駆動機構と、捕獲したし査を立体スクリーン１から脱落させて捕集するための除去装置１４とを備えている。
【００４９】
立体スクリーン１は、水路１１の長手方向に貫通するように、無端ベルト状に形成されて、水路１１に突設される隔壁１２とこの隔壁１２の下流側において水路１１の中央に立設される中間支柱壁１３との間に、上部が水面上に露出するように縦長に配置された状態で回転駆動されるようになっている。
【００５０】
具体的に説明すると、前記隔壁１２および中間支柱壁１３にそれぞれ立体スクリーン１を案内するガイド２０が配置される一方、これらガイド２０の上方に一対のスプロケット２３を備えた回転体２２が回転可能に支持され、これら回転体２２およびガイド２０に亘って立体スクリーン１が掛け渡されるとともに、立体スクリーン１の後記ローラチェーン３０が立体スクリーン１の前記スプロケット２３に噛合している。そして、前記回転体２２の側方にモータ２５が配設され、このモータ２５の出力軸に装着されるプーリ２６と回転体２２の回転軸に装着されたプーリ２７とに亘って駆動チェーン２８が掛け渡されている。この構成によりモータ２５が作動するとその回転駆動力が前記回転体２２に伝達され、その結果、回転体２２の回転に伴い立体スクリーン１が周回移動（回動）するようになっている。
【００５１】
図８に示すように、互い平行な一対の無端状ローラチェーン３０（同図では片側のみ示している）の間に、周方向に一列に並べられた状態で、両チェーン３０にフレーム３４がそれぞれ連結されて、各フレーム３４の中央開口に立体スクリーン１がそれぞれボルト・ナットで脱着可能に組付けられている。
【００５２】
ローラチェーン３０に連結されるフレーム３４のうち、周方向に隣接するフレーム３４同士は例えばゴム製の連結部材（図示省略）を介して互いに連結されている。この構成によりフレーム３４同士が自在性を保持した状態で隙間なく無端状に連結されている。
【００５３】
除去装置１４は、前記回転体２２の直上方に配置されるスプレー装置４０と、このスプレー装置４０に対向して立体スクリーン１の内側に配置されるトラフ４２とを有している。
【００５４】
スプレー装置４０は、例えば水路底に設置されるポンプにより流水を汲み上げつつ立体スクリーン１に向かって高圧で水を噴射するもので、立体スクリーン１によって捕獲されたし査を脱落させるように構成されている。一方、トラフ４２は、前記スプレー装置４０を挟んで立体スクリーン１の下方に配置されており、水圧によって立体スクリーン１から脱落するし査を捕集しながら立体スクリーン１の上流側に配置される捕集箱４４に案内するように構成されている。
【００５５】
以上のような除塵装置１０において、水路１１の流水は、図６及び図7中に白抜き矢印で示すように隔壁１２の開口部１２ａを介して立体スクリーン１の内側に案内され、立体スクリーン１の周面、すなわち突き出し通水管３Ａ，３Ｂの通水穴３ａを通じて下流側へと流下する。従って、水中にし査が含まれていると、流水が立体スクリーン１の周面を透過する際に捕獲されることとなる。
【００５６】
そして、このようにし査が捕獲される一方で、前記モータ２５の作動により立体スクリーン１が回転駆動される。このように立体スクリーン１が駆動されることにより、捕獲されたし査が立体スクリーン１の回転に伴い水中から引き上げられてスクリーン上端部（回転体２２の位置）まで運ばれ、ここでスプレー装置４０によって高圧の水が吹き付けられることにより立体スクリーン１からし査が除去されてトラフ４２内に捕集されることとなる。
【００５７】
こうしてトラフ４２内に捕集されたし査は、その自重によりトラフ４２に沿って移動し、これにより捕集箱４４へと案内される。そして、この捕集箱４４がある程度満杯になると、作業者により水路外に搬出されることとなる。
【００５８】
このように、立体スクリーン１を水路１１に設置する除塵装置１０に取付ければ、除塵装置１０によって、水路１１の流水（農水、上水）のし査を効率的に捕獲できるようになる。
【００５９】
前記立体スクリーン１は、前記ネオスクリーンの他、フレキシブルスクリーン、リングスクリーン、カップスクリーン、ロータリースクリーン、ファインスクリーン、トラベリングスクリーン等の除塵用スクリーンや、セルフスクリーン、ドラムスクリーン、コーンスクリーン等の固液分離用スクリーンにも適応することができる。
【００６０】
図６〜図８では、水路に設置する除塵装置（ネオ・スクリーン等）に立体スクリーン１を取付けるものであったが、本実施形態に係る立体スクリーン１は、特に、し査量の多い合流雨水のファーストフラッシュ対策に最適である。すなわち、降雨初期の流水は、地表面や管路施設内に堆積した汚濁物質が降雨の開始とともに一挙に流出するため、高濃度の汚濁物質が含まれている。この雨水の流出開始直後における高濃度の汚濁物質が含まれる下水の流下現象がファーストフラッシュと呼ばれている。
【図面の簡単な説明】
【００６１】
【図１】本発明の実施形態に係る除塵用立体スクリーンであり、（ａ）は正面図、（ｂ）は（ａ）の断面図である。
【図２】（ａ）（ｂ）は、図１の除塵用立体スクリーンによるし査の捕獲状況の断面図である。
【図３】排水時間と付着厚との関係を示すグラフである。
【図４】（ａ）（ｂ）は変形例の除塵用立体スクリーンの要部断面図である。
【図５】従来の多孔性平面スクリーンによるし査の捕獲状況の断面図である。
【図６】除塵装置の要部を断面にした斜視図である。
【図７】図６の除塵装置の平面断面図である。
【図８】図６の立体スクリーンの要部平面図である。
【符号の説明】
【００６２】
１    除塵用立体スクリーン
２    スクリーン本体
２ａ  通水穴
３Ａ  高い突き出し通水管
３Ｂ  低い突き出し通水管
３ａ  通水穴
１０  除塵装置
１１  水路
Ｈ１，Ｈ２  高低差
ｐ１〜ｐ３  し査
ｓ    隙間
【図１】
0004444913.tif 000002
【図２】
0004444913.tif 000003
【図３】
0004444913.tif 000004
【図４】
0004444913.tif 000005
【図５】
0004444913.tif 000006
【図６】
0004444913.tif 000007
【図７】
0004444913.tif 000008
【図８】
0004444913.tif 000009